(57)【特許請求の範囲】
【請求項１】
電柱の上部で横方向に延在する腕金の外面を覆うように該腕金毎に取り付ける腕金カバーであって、
腕金の上面から両側面に対面して該上面から両側面を覆うように連続する本体部と、該本体部に連続して腕金の一方の側面よりも下方に延在して遠隔操作道具で把持することのできる形状に形成されている把持部と、腕金の下面の一部に対面するように本体部に連続する係止部と、を備えており、
少なくとも本体部が弾性変形可能な絶縁材料よりなるとともに、把持部および係止部は腕金の側面の一方側のみに存在していて、
腕金の側面の一方に対応する側の本体部の下方に延在する把持部を遠隔操作道具で把持して該腕金の側面の他方に対応する側の本体部を引っ掛けて被せることができる程度に当該腕金の下面に対応する側が開口する形状に形成されていることを特徴とする腕金カバー。
【請求項２】
前記把持部は、遠隔操作道具で切離可能な強度の連結部を介して本体部に連設されていることを特徴とする請求項１に記載の腕金カバー。
【請求項３】
前記本体部は、電柱の腕金上方に架設する電線の近傍の鳥類の止まり得る該腕金の領域を覆う程度の長さに設定されていることを特徴とする請求項１または２に記載の腕金カバー。
【請求項４】
前記本体部は、電柱の腕金上方に架設する電線を支持する部材に沿う形状に切り欠かれていることを特徴とする請求項１から３のいずれかに記載の腕金カバー。
【発明の詳細な説明】
【技術分野】
【０００１】
本発明は、腕金カバーに関し、詳しくは、電柱に設置される腕金に鳥類が止まって送電線を地絡させてしまうことを未然に防止することのできるものに関する。
【背景技術】
【０００２】
従来より、電柱に送電線を架設するために腕金が設置される場合があり、この腕金に架設される送電線には、絶縁カバーなどで覆われている箇所もある。この送電線の絶縁カバーは、保守時の作業性などから極端な硬質のものにすることができないことから、その腕金に止まる鳥類、例えば、カラスなどがついばんで損傷させてしまうことがある。また、この腕金には、カラスなどが巣を作ってしまう場合がある。
【０００３】
この絶縁カバーの絶縁性が劣化した状態になって、腕金に止まっているカラスなどがさらにその劣化箇所をついばんでしまったり、巣の材料となるハンガー等をくわえたカラスなどがその劣化箇所にそのハンガー等を接触させてしまうと、そのカラスやハンガーなどを介して送電線を地絡させる事故を発生させてしまう恐れがある。
【０００４】
このことから、平行に設置する２本の腕金の全体を覆うカバーを取り付けることにより、カラスなどが腕金に巣を作ってしまうことを防止して、地絡事故が発生してしまうことを回避することが提案されている（例えば、特許文献１、２参照）。
【特許文献１】特開平９−２８２６７号公報
【特許文献２】特開平９−２８２６８号公報
【発明の開示】
【発明が解決しようとする課題】
【０００５】
しかしながら、このような従来の腕金カバーにあっては、平行な２本の腕金の全体を覆うように設計されていることから、構造が複雑であり、着脱が容易ではないとともに、コスト高になってしまう。このため、この従来の腕金カバーを多くの腕金に設置するのは現実性が薄い。
【０００６】
そこで、本発明は、鳥類との間に介在して腕金の絶縁性を信頼性高く確保することを簡易な構成で実現することにより、カラスなどに起因する地絡が発生する可能性のある多数の腕金に設置することを可能にして、地絡事故の発生を未然に防止することのできる腕金カバーを提供することを目的とする。
【課題を解決するための手段】
【０００７】
上記課題を解決する腕金カバーの第１の発明は、電柱の上部で横方向に延在する腕金の外面を覆うように該腕金毎に取り付ける腕金カバーであって、腕金の上面から両側面に対面して該上面から両側面を覆うように連続する本体部と、該本体部に連続して腕金の一方の側面よりも下方に延在して遠隔操作道具で把持することのできる形状に形成されている把持部と、腕金の下面の一部に対面するように本体部に連続する係止部と、を備えており、少なくとも本体部が弾性変形可能な絶縁材料よりなるとともに、腕金の側面の一方に対応する側の本体部の下方に延在する把持部を遠隔操作道具で把持して該腕金の側面の他方に対応する側の本体部を引っ掛けて被せることができる程度に当該腕金の下面に対応する側が開口する形状に形成されていることを特徴とするものである。
【０００８】
この発明では、本体部は、内面を一本の腕金の上面から両側面に対面させる相似形状に形成されているとともに、その腕金の下面に対応する側が開口する形状に形成されており、この本体部を腕金の上面から側面に被せるだけで覆うことができる。この本体部は、腕金の側面に連続する下面よりも下方に把持部が突出しており、この把持部を掴んで腕金の上面側から被せることができる。また、本体部は、腕金の下面に対面させる係止部が形成されており、その係止部が腕金の下面に衝止されることによりその腕金に被せた状態から上方に移動して外れてしまうことを制限することができる。そして、この本体部は、弾性変形可能な絶縁材料より作製されているので、把持部を掴んで本体部を腕金に引っ掛けるようにすることにより、係止部がその腕金の上面に突き当たらないように弾性変形させつつ側面部を通過させることができ、この後にその把持部を離すことにより、その係止部が腕金の下面に対面する状態に弾性復帰して取り付け状態にし、その腕金の上面や両側面の絶縁性を確保することができる。したがって、例えば、本体部、把持部および係止部を備える形状を、弾性を有する絶縁性樹脂の一体成形などにより安価に作製することができ、送電線の架設されている付近の腕金にこの腕金カバーを取り付けることにより、仮に、その送電線を覆う絶縁カバーなどが腕金に止まるカラスなどによりついばまれて絶縁性が劣化するほど損傷したとしても、そのカラスなどは絶縁性を有する腕金カバーの上に止まっている状態であり、腕金をそのカラスなどを介して送電線に短絡させてしまうことを回避することができる。また、把持部は先端側との絶縁性を確保された遠隔操作用道具（所謂、ヤットコなど）で把持可能な形状に作製することにより、その把持部を掴んで取り付ける作業を、遠隔位置からの、所謂、間接活線工法により行うこともできる。
【０００９】
上記課題を解決する腕金カバーの第２の発明は、上記第１の発明の特定事項に加え、前記係止部は、腕金の側面の一方または双方に隣接する下面に対面するように配設されていることを特徴とするものである。
【００１０】
この発明では、例えば、腕金の設置環境に応じて、また、使用する絶縁材料の剛性に応じて、腕金の下面の両側面側に係止部を対面させるか、あるいは、一方の側面側の下面のみに係止部を対面させるかを選択すればよい。したがって、例えば、外れ難い環境の場合には、係止部を一方のみとすることにより、両側に係止部を配設したために取付作業の妨げになってしまうことを回避することができ、逆に、風が強いなど外れ易い環境の場合には、係止部を両側に形成することにより、取付後に容易に外れてしまうことを回避することができ、この結果、必要十分な強度で容易に腕金に取り付けることができる。
【００１１】
上記課題を解決する腕金カバーの第３の発明は、上記第１または第２の発明の特定事項に加え、前記把持部は、遠隔操作道具で切離可能な強度の連結部を介して本体部に連設されていることを特徴とするものである。
【００１２】
この発明では、把持部を掴んで腕金に取り付けた後に、その把持部を切り離すことができる。したがって、腕金への取付後に把持部が残っていて、その把持部に風などが当たることにより本体部が弾性変形して腕金から外れてしまう恐れをなくすことができる
【００１３】
上記課題を解決する腕金カバーの第４の発明は、上記第１から第３のいずれかの発明の特定事項に加え、前記本体部は、電柱の腕金上方に架設する電線の近傍の鳥類の止まり得る該腕金の領域を覆う程度の長さに設定されていることを特徴とするものである。
【００１４】
この発明では、カラスなどが止まる領域の腕金の外面を覆うのに必要十分な長さに形成される。したがって、不必要に長くなって、腕金の長さ毎に複数種準備する必要がなく、コスト高になるとともに、大きな保管場所が必要になることを回避することができる。
【００１５】
上記課題を解決する腕金カバーの第５の発明は、上記第１から第４のいずれかの発明の特定事項に加え、前記本体部は、電柱の腕金上方に架設する電線を支持する部材に沿う形状に切り欠かれていることを特徴とするものである。
【００１６】
この発明では、電線を支持する部材に沿う小さな領域の腕金の外面も効果的に覆うことができる。したがって、腕金に止まるカラスなどの脚がたまたま電線の支持部材に隣接する露出箇所に接触して短絡させてしまうことを信頼性高く回避することができる。
【発明の効果】
【００１７】
このように本発明によれば、腕金の上面から両側面を覆う本体部を弾性変形可能な絶縁材料により作製するとともに、その本体部に把持部や係止部を連設するだけの簡易かつ安価な構造で、その把持部を掴んで本体部を引っ掛けるようにするだけで腕金に容易に取り付けることができ、その本体部が腕金を覆う状態では下面に係止部が対面・係合することにより外れてしまうことを制限することができる。したがって、腕金の上面から両側面を絶縁部材で安価かつ容易に覆うことができ、電線に接触する鳥類の止まり場所の絶縁性を信頼性高く確保して、カラスなどに起因する地絡事故を未然に防止することができる。
【発明を実施するための最良の形態】
【００１８】
以下、本発明の最良の実施形態を図面に基づいて説明する。図１〜図４は本発明に係る腕金カバーの第１実施形態を示す図である。
【００１９】
図１において、腕金１は、発電所からの送電線２を架設するために電柱３の上部で横方向に延在するように設置されており、その送電線２は、腕金１に固設したピン碍子４に固定する。すなわち、腕金１は、ピン碍子４を送電線２との間に介在させることにより絶縁性を確保するように利用され、送電線２が地絡してしまうことがないように設計されている。
【００２０】
また、この腕金１に固定する送電線２は、例えば、延長する箇所などにおいては、電気的に連結接続するようになっており、その内部の導電材が露出する箇所では、その周囲を絶縁カバー５で覆うことによりカラスなどが多少触れてしまっても問題ないように絶縁性が確保されている。
【００２１】
腕金カバー１０は、ピン碍子４の隣接位置の外面を覆うように腕金１毎に適宜取付可能に設計されており、この腕金カバー１０は、例えば、所望の弾性力を有する絶縁性樹脂材料を成形することにより簡易かつ安価に作製するとともに、その腕金１の外面の絶縁性を容易に確保することができる。
【００２２】
具体的には、腕金カバー１０は、図２および図３に示すように、腕金１の上面１ａに対面するように形成された上面部１１ａと、この上面部１１ａに連続するように形成されて腕金１の両側面１ｂのそれぞれで対面する側面部１１ｂとからなる本体部１１を備えている。この腕金カバー１０は、この本体部１１の一方の側面部１１ｂを図４に示すヤットコ１００の把持部１１０により掴むことができる程度に下方に延長して（腕金１の側面１ｂよりも下方に延在させて）腕金１の下面１ｃよりも下方に突出する延長部１２と、この延長部１２と本体部１１の側面部１１ｂとの境界で腕金１の下面１ｃに１／３程度の面積で対面するように長さ方向に延設された係止部１３と、がそれぞれ本体部１１の側面部１ｂの下端辺に連続する形状に一体成形されている。
【００２３】
また、この腕金カバー１０は、腕金１上のピン碍子４に隣接する位置に止まる鳥類がそのピン碍子４に固定されている送電線２に触れる範囲を少なくともカバーする長さＬに、言い換えると、腕金１上に止まって送電線２に触れる鳥類の足などの接触する範囲を少なくともカバーする長さＬに設定されている。
【００２４】
ここで、ヤットコ１００は、図４に示すように、作業対象物を把持する把持部１１０と、作業者が操作する操作部１２０と、この操作部１２０が手元側に配置されるとともに把持部１１０が先端側に連結されてそれぞれを支持することによりその操作部１２０からの操作力を把持部１１０に伝達して動作させる支持伝達部１３０と、を備えており、このようなヤットコ１００は、支持伝達部１３０がプラスチックなどからなる部材で作製されることによりその把持部１１０と操作部１２０との間の絶縁性が確保されている。なお、このヤットコ１００には、把持部１１０側からの水分を滴下させたり安全に作業を行い得る限界位置を示す傘カバー１４１、１４２が支持伝達部１３０（後述する支持棒１３１および伝達棒１３２）に設けられている。
【００２５】
このヤットコ１００の把持部１１０は、支持伝達部１３０の支持棒１３１に固設されている不動部材１１１と、その支持棒１３１側に配設された回動軸１１３を中心に回動自在に支持されている可動部材１１２と、を備えており、この把持部１１０の可動部材１１２が支持伝達部１３０の伝達棒１３２を介して操作部１２０のレバー１２１に連結されている。
【００２６】
これにより、ヤットコ１００の把持部１１０は、操作部１２０のレバー１２１を掴むなどして回動させると、支持伝達部１３０の伝達棒１３２を介して牽引などされることにより、可動部材１１２が不動部材１１１に対して相対的に回動することによって、それぞれの先端部が接離して、作業対象物を掴んだり離したりすることができ、腕金カバー１０の延長部１２をしっかりと掴んで取り扱うことができる。すなわち、この延長部１２が遠隔操作道具のヤットコで把持することのできる把持部を構成している。ここで、ヤットコ１００は、把持部１１０と操作部１２０の間の絶縁性が確保されているので、送電を止めることなく、送電線２近傍の腕金１に腕金カバー１０を所謂、間接活線工法により取り付けることができる。
【００２７】
したがって、腕金カバー１０は、延長部１２をヤットコ１００で掴んで電柱３上部の腕金１のピン碍子４付近まで持っていき、反対側の側面部１１ｂを腕金１の側面１ｂに引っ掛けるようにして本体部１１を広げた状態のまま引き下げることにより、腕金１の上面１ａに係止部１３が突き当たらないようにその下面１ｃ付近まで降下させることができ、この状態で、そのヤットコ１００による延長部１２の把持を解放することにより、弾性復帰するので、腕金１の上面１ａに上面部１１ａが、また、腕金１の側面１ｂに側面部１１ｂが対面して覆う状態に、また同時に、腕金１の下面１ｃに係止部１３が対面する状態に、容易に取り付けることができる。
【００２８】
このため、腕金カバー１０は、風が吹くなどして上方に浮き上げられるような力が付与されたとしても、係止部１３が腕金１の下面１ｃに衝止されるので、その腕金１から外れてしまうことを回避することができる。また、この腕金カバー１０は、全体が絶縁材料により作製されているので、少なくとも取り付けた位置の腕金１の上面１ａや側面１ｂの外面の絶縁性を確保することができる。例えば、カラスなどが腕金カバー１０の上に止まってピン碍子４近傍の絶縁カバー５をついばんで送電線２の絶縁性を劣化させた場合に、くわえていた金属製のハンガーなどが接触してしまったとしても、そのカラスと腕金１との間の絶縁性を確保して、カラスを介して送電線２を地絡させてしまうことを未然に回避することができる。
【００２９】
また、この腕金カバー１０は、係止部１３が側面部１１ｂの一方のみに配設されているので、延長部１２をヤットコ１００で掴んで腕金１に取り付ける際に、邪魔になってしまうことなくスムーズに取り付けることができ、この取り付け易さや外れ難さは本体部１１の剛性を肉厚や材料により任意に調整することができる。また、この腕金カバー１０は、ピン碍子４近傍の絶縁カバー５をついばむカラスなどが止まる箇所を必要十分に覆うことができる長さＬに設定するので、不必要に長くなって、取り付け難くなったり、腕金１の状態に応じて準備・保管するなどコスト高になってしまうことがない。
【００３０】
このように本実施形態においては、絶縁材料よりなる安価な腕金カバー１０の本体部１１を、延長部１２を掴んで弾性変形させつつ腕金１の上面１ａから両側面１ｂを覆うように容易に被せることができ、この被せた状態を係止部１３により維持することができる。したがって、ピン碍子４により固定する送電線２の絶縁カバー５付近の腕金１外面の絶縁性を容易かつ安価に確保することができ、カラスなどによる送電線２の地絡事故を未然に防止することができる。
【００３１】
次に、図５および図６は本発明に係る腕金カバーの第２実施形態を示す図である。ここで、本実施形態は、上述実施形態と略同様に構成されているので、同様の構成には同一の符号を付して特徴部分を説明する（以下で説明する他の実施形態においても同様）。
【００３２】
図５および図６において、腕金カバー２０は、上面部１１ａおよび側面部１１ｂからなる本体部１１と、延長部１２と、係止部１３と、に加えて、係止部１３の反対側の側面部１１ｂの下端辺に対称となる係止部２３が一体形成されており、この係止部２３は、係止部１３と同様に、腕金１の反対側の下面１ｃに１／３程度の面積で対面するように長さ方向に延設されている。また、この腕金カバー２０の本体部１１の上面部１１ａの両端側には、その端辺をピン碍子４の外形に沿うように半円形に切り欠いた切欠部２５が形成されている。
【００３３】
したがって、腕金カバー２０は、腕金１の下面１ｃの両側に係止部１３、２３が対面する状態に取り付けることができ、仮に本体部１１を弾性変形させるほどの強風が吹き付けられる環境でも、係止部１３、２３を腕金１の下面１ｃの両側で衝止させることができ、より信頼性高く、外れてしまうことを回避することができる。ここで、この係止部１３、２３を一方のみにするか双方形成するかは、腕金１への取り付け易さや外れ難さに応じて任意に設計すればよい。
【００３４】
また、この腕金カバー２０は、切欠部２５内にピン碍子４を進入させることにより、上述実施形態の腕金カバー１０よりも腕金１のピン碍子４側にさらに接近させて取り付けることができ、そのピン碍子４の周囲に腕金１の上面１ａや側面１ｂができるだけ露出しないように覆うことができる。このため、カラスの足がピン碍子４に触れるほど近い位置に止まった場合でも、腕金１の上面１ａや側面１ｂの外面に直接触れてしまうことを回避することができ、より信頼性高くそのカラスと腕金１との間の絶縁性を確保して、カラスを介して送電線２を地絡させてしまうことを未然に回避することができる。
【００３５】
このように本実施形態においては、上述実施形態による作用効果に加えて、腕金１から外れ難くしたり、その腕金１のピン碍子４付近の絶縁性確保の信頼性を向上させることができる。したがって、カラスなどによる送電線２の地絡事故をより確実に未然に防止することができる。
【００３６】
次に、図７は本発明に係る腕金カバーの第３実施形態を示す図である。
図７において、腕金カバー３０は、切欠部２５の形成された上面部１１ａおよび側面部１１ｂからなる本体部１１と、この本体部１１の側面部１１ｂの下端辺に形成されている係止部１３、２３と、を備えているとともに、上述実施形態における延長部１２に代えて、長さ方向に短尺に形成された延長部３２が本体部１１の側面部１１ｂの下端辺側に連結部３３を介して３箇所に連設されている。
【００３７】
この連結部３３は、延長部３２をヤットコ１００の把持部１１０により掴んで引く程度では破断することはないが捻じることにより容易に切断することができるように、延長部３２よりも薄肉で幅狭に形成されている。
【００３８】
したがって、腕金カバー３０は、延長部３２をヤットコ１００で掴んで同様に電柱３上部の腕金１に取り付けることができるとともに、この後には、延長部３２を捻じることにより連結部３３を切断してその延長部３２をなくすことにより風の抵抗となってしまうことを回避することができる。
【００３９】
ここで、この腕金カバー３０では、延長部３２を３箇所に配設する場合を説明するが、これに限るものではないことはいうまでもなく、例えば、中央または端部の１箇所でも、また、両端部の２箇所でも、さらに、３箇所以上など、個数や配置位置は任意に設計すればよい。
【００４０】
このように本実施形態においては、上述実施形態による作用効果に加えて、延長部１２のように風を受けて本体部１１を弾性変形させてしまう要因にならないように、その延長部３２をなくすことができる。したがって、より信頼性高く腕金１の外面の絶縁性を確保することができ、カラスなどによる送電線２の地絡事故を未然に防止することができる。
【産業上の利用可能性】
【００４１】
これまで本発明の一実施形態について説明したが、本発明は上述の実施形態に限定されず、その技術的思想の範囲内において種々異なる形態にて実施されてよいことは言うまでもない。上述実施形態では、本体部１１に延長部１２、３２や係止部１３、２３や連結部３３を一体成形して作製する場合を説明するが、これに限るものではなく、別個に作製して接着剤により連結しても良い。例えば、延長部１２は単なる板部材を、また、係止部１３、２３は断面Ｌ字形状の部材を張り合わせても良く、延長部３２や連結部３３は、連結部３３の両側に延長部３２の形状を有する部材を作製して、その一方を貼り付けるようにしてもよい。
【図面の簡単な説明】
【００４２】
【図１】本発明に係る腕金カバーの第１実施形態を示す図であり、その腕金への取付状態を示す斜視図である。
【図２】その腕金カバーの全体構成を示す斜視図である。
【図３】その腕金カバーの全体構成を示す３面図であり、（ａ）は長さ方向から見た正面図、（ｂ）はその上方より見た平面図、（ｃ）はその側面図である。
【図４】その腕金カバーを取り付ける際に利用する道具の全体構成を示す平面図である。
【図５】本発明に係る腕金カバーの第２実施形態を示す図であり、その腕金カバーの全体構成を示す斜視図である。
【図６】その腕金カバーの全体構成を示す３面図であり、（ａ）は長さ方向から見た正面図、（ｂ）はその上方より見た平面図、（ｃ）はその側面図である。
【図７】本発明に係る腕金カバーの第３実施形態の概略構成を示す側面図である。
【符号の説明】
【００４３】
１……腕金    １ａ……上面    １ｂ……側面    １ｃ……下面    ２……送電線    ３……電柱    ４……ピン碍子    ５……絶縁カバー    １０、２０、３０……腕金カバー    １１……本体部    １１ａ……上面部    １１ｂ……側面部    １２、３２……延長部    １３、２３……係止部    ２５……切欠部    ３３……連結部    Ｌ……長さ
【図１】
0004761892.tif 000002
【図２】
0004761892.tif 000003
【図３】
0004761892.tif 000004
【図４】
0004761892.tif 000005
【図５】
0004761892.tif 000006
【図６】
0004761892.tif 000007
【図７】
0004761892.tif 000008